(57)【特許請求の範囲】
【請求項１】
固定体と、該固定体に対してスライド移動するスライド体とを有する構造体に取り付けられ、地震発生時に前記固定体に対する前記スライド体の移動をロックする耐震安全装置であって、
前記固定体又は前記スライド体のいずれか一方に固定される基部と、該基部に支軸を中心として揺動可能に配設されると共に重りが設けられたフック部材と、該フック部材に設けられたロック片とを有するラッチ機構と、
前記固定体又は前記スライド体のいずれか他方に固定され、前記ロック片と係合可能な構成とされた係合部とを有したロック部材とを有しており、
通常時には、前記スライド体が前記ロック部材に形成された凹部内をスライド移動し、
地震の発生時には、前記フック部材が前記支軸を中心として前記ロック部材の前記凹部の移動軌跡から変位した状態に揺動して前記ロック片が前記ロック部材と係合し、前記フック部材が前記支軸を中心に前記スライド体のスライド移動方向に対して直交する位置に移動することで前記スライド体の移動がロックされる構成としたことを特徴とする耐震安全装置。
【請求項２】
前記基部は前記フック部材を収納する筐体であり、
前記フック部材は、該筐体の内壁により揺動可能に支持されることを特徴とする請求項１記載の耐震安全装置。
【請求項３】
前記フック部材は、鉛直方向から９０度の範囲で移動可能な構成とされていることを特徴とする請求項１又は２記載の耐震安全装置。
【発明の詳細な説明】
【技術分野】
【０００１】
本発明は引き耐震安全装置に係り、特に地震発生時にスライド体が固定体に対してスライド移動するのを規制する耐震安全装置に関する。
【背景技術】
【０００２】
従来から、地震発生時に引き出しや引き戸等のスライド部材が机や箪笥等の収納体（固定体）から飛び出さないよう、スライド部材をロック（固定）する耐震安全装置が知られている。この種の耐震安全装置は、収納体側に設けられるラッチ機構と、スライド部材側に設けられるロック部材とを有している。
【０００３】
ラッチ機構は、ラッチケース内に進退可能に設けられたフック部材と、ラッチケース内に転動可能に設けられた金属球体等を有している。フック部材は、地震が発生してない状態では、スライド部材がスライドする移動軌跡から退いた位置に移動している。よって、地震が発生していない状態では、スライド部材は自由にスライド（移動）することが可能である。
【０００４】
しかしながら地震発生時には、地震の振動により金属球体は転動してフック部材と衝突し、フック部材をスライド部材の移動軌跡内に移動させる。これにより、スライド部材のスライド動作はフック部材により規制され、スライド部材が収納体から飛び出すことを防止することができる。（特許文献１）。
【先行技術文献】
【特許文献】
【０００５】
【特許文献１】特開２０１０−２７０５１７号公報
【発明の概要】
【発明が解決しようとする課題】
【０００６】
従来の耐震安全装置では、地震の振動により先ず球体が変位し、次に変位した球体に付勢させてフック部材が移動し、これによりスライド部材がロックされる構成とされていた。このため、構造が複雑で製品コストが上昇するという問題点があった。
【０００７】
本発明は上記の点に鑑みてなされたものであり、簡単な構成で地震発生時に確実にスライド体をロックしうる耐震安全装置を提供することを目的とする。
【課題を解決するための手段】
【０００８】
上記の課題は、第１の観点からは、
固定体と、該固定体に対してスライド移動するスライド体とを有する構造体に取り付けられ、地震発生時に前記固定体に対する前記スライド体の移動をロックする耐震安全装置であって、
前記固定体又は前記スライド体のいずれか一方に固定される基部と、該基部に支軸を中心として揺動可能に配設されると共に重りが設けられたフック部材と、該フック部材に設けられたロック片とを有するラッチ機構と、
前記固定体又は前記スライド体のいずれか他方に固定され、前記ロック片と係合可能な構成とされた係合部とを有したロック部材とを有しており、
通常時には、前記スライド体が前記ロック部材に形成された凹部内をスライド移動し、
地震の発生時には、前記フック部材が前記支軸を中心として前記ロック部材の前記凹部の移動軌跡から変位した状態に揺動して前記ロック片が前記ロック部材と係合し、前記フック部材が前記支軸を中心に前記スライド体のスライド移動方向に対して直交する位置に移動することで前記スライド体の移動がロックされる構成としたことを特徴とする耐震安全装置により解決することができる。
【発明の効果】
【０００９】
開示の耐震安全装置によれば、地震発生によりロック部材の移動を規制するフック部材が直ちに揺動するため、スライド体のロックを即座に行うことが可能となる。また、フック部材に重りが一体的に設けられているため、耐震安全装置の構成を簡単化することができる。
【図面の簡単な説明】
【００１０】
【図１】図１は、本発明の一実施形態である耐震安全装置の斜視図である。
【図２】図２は、本発明の一実施形態である耐震安全装置の分解斜視図である。
【図３】図３（Ａ）は本発明の一実施形態である耐震安全装置の地震が発生していない状態を示す図であり、図３（Ｂ），（Ｃ）は本発明の一実施形態である耐震安全装置の地震が発生している状態を示す図である。
【図４】図４は、本発明の一実施形態である耐震安全装置を引き出しに適用した例を示す斜視図である。
【図５】図５（Ａ）は本発明の一実施形態である耐震安全装置を引き出しに適用した例を示す部分拡大平面図であり、図５（Ｂ）は図５（Ａ）におけるＡ１矢視図であり、図５（Ｃ）は図５（Ａ）におけるＢ１矢視図である。
【図６】図６は本発明の一実施形態である耐震安全装置を引き戸に適用した例を示す斜視図である。
【図７】図７は、本発明の一実施形態である耐震安全装置を引き戸に適用した例を示す部分拡大平面図である。
【図８】図８（Ａ）は図７におけるＢ２矢視図であり、図８（Ｂ）は図７におけるＡ２矢視図であり、図（Ｃ）は図７におけるＢ３矢視図であり、図８（Ｄ）は図７におけるＡ３矢視図である。
【発明を実施するための形態】
【００１１】
次に、本発明の実施の形態について図面と共に説明する。
【００１２】
図１乃至図３は、本発明の一実施形態である耐震安全装置１の構成及び動作を説明するための図である。この耐震安全装置１は例えば机等の地震発生時に飛び出すものを有する構造体に装着され、地震発生時に引き出し（スライド体）が机本体（固定体）から飛び出すことを防止する機能を奏するものである。
【００１３】
この耐震安全装置１は、ラッチ機構２とロック部材３とにより構成されている。この耐震安全装置１は、ラッチ機構２を固定体に設けた場合には、ロック部材３はスライド体に設けられる。逆に、ラッチ機構２をスライド体に設けた場合には、ロック部材３は固定体に設けられる。
【００１４】
ラッチ機構２は、筐体５、フック部材６、及び支軸７等を有した構成とされている。筐体５は、請求項に記載の基部に相当するものである。この筐体５は矩形状を有しており、筐体半体５Ａと筐体半体５Ｂとを組み合わせた構成とされている。
【００１５】
本実施形態では、筐体５を樹脂材により形成している。しかしながら、筐体５の材質は樹脂に限定されるものではなく、金属或いはセラミック等の樹脂よりも強度の高い材料を選定してもよい。
【００１６】
一方の筐体半体５Ａは、軸孔９Ａ、長孔１０、及び取り付け用孔１１Ａが形成されている。また、他方の筐体半体５Ｂは、軸孔９Ｂ及び取り付け用孔１１Ｂが形成されている。
【００１７】
軸孔９Ａ及び軸孔９Ｂは、フック部材６を揺動可能に軸承する支軸７が装着される孔である。即ち支軸７は、その一端部を軸孔９Ａに挿入することにより筐体半体５Ａに軸承され、他端部を軸孔９Ｂに挿入することにより筐体半体５Ｂに軸承される。
【００１８】
長孔１０は、後述するフック部材６に形成されたロック片１５が移動する穴である。この長孔１０は、軸孔９Ａを中心とした円形状を有し、その形成範囲は約９０°とされている。よって、本実施形態ではロック片１５は長孔１０内で９０°の範囲で移動することができる。
【００１９】
取り付け用孔１１Ａは、筐体５を後述する固定体に固定する固定ネジ（図示せず）が挿通される穴である。本実施形態では、対角線上に一対の取り付け用孔１１Ａ，１１Ｂが形成された構成としている。
【００２０】
上記構成とされた筐体５Ａと筐体半体５Ｂは、接着剤により接着されて一体化され筐体５を構成するが、この一体化した状態において筐体５の内部には空間部が形成される。フック部材６は、この空間部内に揺動可能に装着される。
【００２１】
フック部材６は、重り装着部１２、重り１３、軸孔１４、及びロック片１５（請求項に記載の係合部に相当）等を有した構成とされている。重り装着部１２はフック部材６に形成された孔であり、軸孔１４の形成位置とロック片１５の形成位置との間に配設されている。この重り装着部１２の内部には、重り１３が装着される。
【００２２】
重り１３は、本実施形態では円板状の金属により形成されている。この重り１３は、接着剤を用いて重り装着部１２に固定されている。
【００２３】
軸孔１４は、前記した一対の筐体半体５Ａ，５Ｂに支持される支軸７が挿通される孔である。軸孔１４に支軸７が挿通されることにより、フック部材６は支軸７に揺動可能に軸承される。
【００２４】
また、重り１３は軸孔１４に対して偏移した位置に配設されている。このため、通常状態（地震が発生していない状態）において、フック部材６は重り１３が軸孔１４の鉛直下方に位置した状態で安定する（静止する）。
【００２５】
ロック片１５は、鉛直方向に対して直角方向に突出するよう形成されている。このロック片１５は、図１に示すように、フック部材６が筐体５に装着された状態において、筐体半体５Ａに形成された長孔１０から突出するよう構成されている。
【００２６】
前記のように長孔１０は軸孔９Ａを中心として約９０°の範囲で形成されているため、ロック片１５もこの長孔１０内で約９０°の範囲で揺動可能な構成となっている。しかしながら、上記のようにフック部材６には重り１３が設けられている。このため、通常時においてロック片１５は、長孔１０の最下部に位置した状態（図１に示す状態）となっている。
【００２７】
また、フック部材６の揺動のし易さは、重り１３の重量、支軸７と重り１３との離間距離、フック部材本体６ａ（基部）の重量、フック部材６と筐体半体５Ａ，５Ｂとの摩擦、支軸７と軸孔１４の内壁との間の摩擦等により調整することができる（これらの調整可能な各種事項を調整パラメータという）。本実施形態では、通常時においてはフック部材６が揺動することなく、地震発生時においてのみフック部材６が揺動するよう、上記の各種値を調整している。
【００２８】
ロック部材３は、本実施形態では金属よりなる平板形状とされている。このロック部材３は、係合凹部１７と取り付け用孔１８とを有した構成とされている。
【００２９】
係合凹部１７は、通常時において固定体に対してスライド体が移動する際、ラッチ機構２のロック片１５がその内部で移動するよう構成されている。なお、取り付け用孔１８は、固定体或いはスライド体にロック部材３を固定する際、固定ネジが挿通される孔である。
【００３０】
次に、図３を用いて上記構成とされた耐震安全装置１の動作について説明する。
【００３１】
同図では、ラッチ機構２を固定体（例えば、机本体）に固定すると共に、ロック部材３をスライド体（例えば、引き出し）に取り付けた例を示している。よって、図３に示す例では、ラッチ機構２に対してロック部材３が移動する構成となっている。
【００３２】
図３（Ａ）は、地震が発生していない通常状態を示している。通常状態においては、フック部材６に地震による外力は印加されていない。よって、フック部材６は重り１３が軸孔１４の鉛直下方に位置した状態で静止している。従って、フック部材６に形成されたロック片１５は、水平な状態となっている。
【００３３】
ラッチ機構２の固定体との取り付け位置、及びロック部材３のスライド体への取り付け位置は、固定体に対してスライド体がスライド移動した際、通常時におけるロック片１５がロック部材３に形成された係合凹部１７の移動軌跡上に位置するよう設定されている。
【００３４】
よって、通常状態においてロック部材３がスライド移動すると、この移動に伴い相対的にロック片１５は係合凹部１７内に進入し移動する。
【００３５】
このように通常時においてロック片１５とロック部材３が係合することはなく、よってラッチ機構２によりロック部材３の移動が規制（ロック）されることはない。従って通常時においては、スライド体は固定体に対して自由にスライド動作を行うことができる。
【００３６】
これに対して図３（Ａ），（Ｂ）は、地震が発生した状態を示している。地震が発生すると、地震振動はフック部材６に伝達される。前記のように、フック部材６は筐体５内に揺動可能に配設されており、上記した各種の調整パラメータは地震の発生によりフック部材６の揺動を許容するよう設定されている。
【００３７】
よって地震発生により、図３（Ｂ）に示すようにフック部材６は揺動を開始する。この揺動により、フック部材６に設けられているロック片１５も支軸７を中心として揺動し、筐体半体５Ａに形成された長孔１０内で移動する。
【００３８】
このように、フック部材６が揺動することにより、ロック片１５は係合凹部１７の移動軌跡から変位した状態なる。この変位した状態においてロック部材３がスライド移動すると、係合凹部１７はロック片１５を通過することなく、ロック部材３はロック片１５と係合（衝突）する。
【００３９】
この際、図３（Ｂ）に示すようにフック部材６の揺動が小さい場合でも、ロック部材３はロック片１５と確実に係合する。そして係合した後、ロック部材３のスライド移動に伴いフック部材６は揺動付勢され、更にフック部材６は揺動（回転）する。
【００４０】
そして図３（Ｃ）に示すように、ロック片１５とロック部材３とが略平行になった状態（即ち、フック部材６が鉛直方向に対して９０°回転した状態）で、ロック部材３のスライド方向への移動（図３（Ａ）に矢印で示す方向の移動）はロックされる。これにより、地震発生時においてはスライド体の固定体に対する移動は、耐震安全装置１により確実にロックすることができ、スライド体の固定体からの飛び出しを防止することができる。
【００４１】
また、地震の震度が大きい場合には、フック部材６に対してロック部材３が強い力で衝突することが考えられる。しかしながら筐体５内で揺動する際、フック部材６の両面は筐体５（筐体半体５Ａ，５Ｂ）の内壁に案内されながら揺動する。このように、フック部材６は筐体半体５Ａ，５Ｂの内壁に保持された状態で揺動するため、ロック部材３を介してフック部材６に大きな力が印加されても、フック部材６が損傷するようなことはなく、スライド体の飛び出しを確実に防止することができる。
【００４２】
図４乃至図８は、上記構成とされた耐震安全装置１の実際の適用例を示している。
【００４３】
図４及び図５は耐震安全装置１を引き出し２０のロックに適用した実施例を示している。本実施例では、ラッチ機構２を机２２（固定体）に取り付けると共に、ロック部材３を引き出し２０（スライド体）に取り付けた構成とされている。
【００４４】
本実施形態に係る耐震安全装置１は、ラッチ機構２が筐体５内にフック部材６を揺動可能に配設した極めて簡単構成であるため、薄型化を図ることができる。また、ロック部材３も平板形状であるため、その取り付けに際して自由度が高い。よって、引き出し２０と机２２との間の僅かな隙間であっても、この隙間内に耐震安全装置１を配設することが可能となる。
【００４５】
更に、耐震安全装置１は、左右反転させることによりリバーシブルな構成となっている。よって図４に示すように、引き出し２０の両側部にそれぞれ耐震安全装置１を配設する場合でも、同一のラッチ機構２及びロック部材３を用いることができる。
【００４６】
一方、図６乃至図８は、耐震安全装置１を収納体３１に設けられた引き戸３０Ａ，３０Ｂのロックに適用した実施例を示している。
【００４７】
引き戸３０Ａ，３０Ｂの場合には、図６及び図７に示すように、引き戸３０Ａと引き戸３０Ｂとが平行にスライド移動するよう構成されている。即ち、電極３０のスライド軌跡と、引き戸３０Ｂのスライド軌跡が平行となるよう構成されている。
【００４８】
これに対し、ラッチ機構２の配設位置は、地震発生時に引き戸３０Ａ，３０Ｂの移動を確実にロックするために、各引き戸３０Ａ，３０Ｂに近接して配置することが望ましい。このため本実施形態では、図７に示すように２つの引き戸３０，３０Ｂをそれぞれロックする一対のラッチ機構２を、奥側に配置された引き戸３０Ａの移動軌跡と近接するよう配置した。
【００４９】
この際、ラッチ機構２は引き戸３０Ａ，３０Ｂに対して平行に配設する必要がある。よつて、ラッチ機構２をホルダ４０に取り付け、このホルダ４０を収納体３１に固定することにより、ラッチ機構２と引き戸３０Ａ，３０Ｂが平行となるよう構成した。
【００５０】
更に、引き戸３０Ａとラッチ機構２との離間距離に対し、ラッチ機構２と引き戸３０Ｂとの離間距離は長くなる。このため、延出長さの異なるロック部材３Ａ，３Ｂを用意し、これにより各ロック部材３Ａ，３Ｂがラッチ機構２と係合可能となるよう構成した。
【００５１】
上記構成とすることにより、引き戸３０Ａ，３０Ｂに対しても地震発生時にその移動を規制することができる。
【００５２】
なお、図４乃至図８に示した実施例は、あくまでも耐震安全装置１の適用例の一例を示したものでありこれに限定されるものではなく、地震発生時にスライド体の飛び出しを防止する種々のものに適用が可能なものである。
【００５３】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００５４】
１  耐震安全装置
２  ラッチ機構
３，３Ａ，３Ｂ  ロック部材
５  筐体
５Ａ，５Ｂ  筐体半体
６  フック部材
７  支軸
９Ａ，９Ｂ，１４  軸孔
１０  長孔
１１Ａ，１１Ｂ  取り付け用穴
１２  重り装着部
１３  重り
１５  ロック片
１７  係合凹部
１８  取り付け用孔
２０  引き出し
２２  机
３０Ａ，３０Ｂ  引き戸
３１  キャビネット
４０  ホルダ
４１  固定部
４２  起立部
【図１】
0005955641.tif 000002
【図２】
0005955641.tif 000003
【図３】
0005955641.tif 000004
【図４】
0005955641.tif 000005
【図５】
0005955641.tif 000006
【図６】
0005955641.tif 000007
【図７】
0005955641.tif 000008
【図８】
0005955641.tif 000009